(57)【要約】【課題】  同一の形状を有するピースから成るスリーディメンション（３Ｄ）の球形パズルを提供する。【解決手段】  同一の形状を有する複数のピースを有し、各ピースの辺に突出部及び該突出部の形状と同一のカットアウトが形成され、該突出部は他のピースにおけるカットアウトと組合されることを特徴とする。【選択図】        図１
2005118442.tif 000002
【特許請求の範囲】
【請求項１】
同一の形状を有する複数のピースを有し、各ピースの辺に突出部及び該突出部の形状と同一のカットアウトが形成され、該突出部は他のピースにおけるカットアウトと組合されることを特徴とする球形パズル。
【請求項２】
前記ピースは表面と裏面を有する湾曲状の略四方形のプレートであり、各ピースの対向辺に夫々突出部が設けられると共に、他の対向辺に夫々突出部の形状と同一のカットアウトが形成され、各球形パズルの中心からの半径は夫々各ピースの表面と裏面の外周縁を通過することを特徴とする請求項１に記載の球形パズル。
【請求項３】
前記ピースは表面と裏面を有する湾曲状の三角形プレートであり、各球形パズルの中心からの半径は夫々各ピースの表面と裏面の外周縁を通過することを特徴とする請求項１に記載の球形パズル。
【発明の詳細な説明】
【技術分野】
【０００１】
本発明は、特に同一の形状を有するピースから成るスリーディメンション（３Ｄ）の球形パズルに関するものである。
【背景技術】
【０００２】
パズルは子供だけではなく、大人にも人気のある玩具であり、従来のパズルは異なる形状を有する複数のピースを組合せることにより、平面の図形を構成させる。このような平面式パズルは例えば台湾実用新案公告第０３５３３８９号の「智慧パズルの構造改良」及び第０３６７８８０号「新型知恵パズル」において既に開示されている。
【０００３】
又、従来のパズルの中にはスリーディメンションパズルというものを有し、例えば台湾実用新案公告第０３０８８９６号の「立方体パズル」に開示された3Ｄパズルは各面に図形を有する立方体のブロックを互いに組合せることにより、３Ｄのという効果を有する図形を構成させるものである。しかし、その組合せたものは平面図形しか現れない。
【特許文献１】台湾実用新案公告第０３５３３８９号の「智慧パズルの構造改良」。
【特許文献２】台湾実用新案公告第０３６７８８０号「新型知恵パズル」。
【特許文献３】台湾実用新案公告第０３０８８９６号の「立方体パズル」。
【発明の開示】
【発明が解決しようとする課題】
【０００４】
上述したように、従来のパズルは何れも本当のスリーディメンションの図形又は形状を得ることができないので、更に改良する必要がある。
【０００５】
そこで、出願されたのが本発明であって、同一の形状を有するピースから成るスリーディメンション（３Ｄ）の球形パズルを提供することを目的としている。
【課題を解決するための手段】
【０００６】
本願の請求項１の発明は、同一の形状を有する複数のピースを有し、各ピースの辺に突出部及び該突出部の形状と同一のカットアウトが形成され、該突出部は他のピースにおけるカットアウトと組合されることを特徴とする球形パズル及び、
本願の請求項２の発明は、前記ピースは表面と裏面を有する湾曲状の略四方形のプレートであり、各ピースの対向辺に夫々突出部が設けられると共に、他の対向辺に夫々突出部の形状と同一のカットアウトが形成され、各球形パズルの中心からの半径は夫々各ピースの表面と裏面の外周縁を通過することを特徴とする請求項１に記載の球形パズル及び、
本願の請求項３の発明は、前記ピースは表面と裏面を有する湾曲状の三角形プレートであり、各球形パズルの中心からの半径は夫々各ピースの表面と裏面の外周縁を通過することを特徴とする請求項１に記載の球形パズル、を提供する。
【発明の効果】
【０００７】
本発明は上記の課題を解決するものであり、同一形状の複数のピースを有し、各ピースの辺に同一形状を有する突出部又はカットアウトを形成させ、それら全てのピースを組合せることにより、本当のスリーディメンションが現れる球形のパズルを得ることができる。
【発明を実施するための最良の形態】
【０００８】
以下、添付図面を参照して本発明の好適な実施の形態を詳細に説明する。
【０００９】
図１は本発明に係る球形パズルの一部分解斜視図であり、図２は本発明に係る球形パズルにおけるピースを示す平面図であり、図３は本発明に係る球形パズルにおけるピースを示す側面図であり、図４は本発明に係る球形パズルの他の実施例を示す一部分解斜視図であり、図５は本発明に係る球形パズルの他の実施例におけるピースを示す底面図であり、図６は本発明に係る球形パズルの他の実施例におけるピースを示す側面図である。
【００１０】
図１及び図２に示すように、本発明に係る球形パズル（１）は同一の略四方形を有する複数のピース（１０）を有し、各ピース（１０）の対向辺に突出部（１１）（１２）が設けられると共に、他の対向辺に突出部（１１）（１２）の形状と同一のカットアウト（１３）（１４）が形成されることにより、突出部（１１）（１２）が他のピース（１０）におけるカットアウト（１３）（１４）と組合わされることができる。
【００１１】
図３に示すように、本発明に係る球形パズル（１）のピース（１０）は表面と裏面を有する湾曲状のプレートであり、各球形パズル（１）の中心（Ｏ）からの半径（Ｒ）は夫々各ピース（１０）の表面と裏面の外周縁を通過する。
【００１２】
図４及び図５に示すように、本発明に係る球形パズル（２）の他の実施例は同一の三角形を有する複数のピース（１０）を有し、ピース（２０）の各辺に同一形状を有する突出部（２１）とカットアウト（２２）が夫々形成されることにより、突出部（２１）が他のピース（２０）におけるカットアウト（２２）と組合わされることができる。
【００１３】
図６に示すように、本発明に係る球形パズル（２）のピース（２０）は前記実施例と同一の表面及び裏面を有する湾曲状のプレートであり、各球形パズル（２）の中心（Ｏ'）からの半径（Ｒ'）は夫々各ピース（２０）の表面と裏面の外周縁を通過する。
【産業上の利用可能性】
【００１４】
本発明は上記の構成を有するので、同一形状の複数のピースを有し、各ピースの辺に同一形状を有する突出部又はカットアウトを形成させ、それら全てのピースを組合せることにより、本当のスリーディメンションが現れる球形のパズルを得ることができる。
【図面の簡単な説明】
【００１５】
【図１】本発明に係る球形パズルの一部分解斜視図である。
【図２】本発明に係る球形パズルにおけるピースを示す平面図である。
【図３】本発明に係る球形パズルにおけるピースを示す側面図である。
【図４】本発明に係る球形パズルの他の実施例を示す一部分解斜視図である。
【図５】本発明に係る球形パズルの他の実施例におけるピースを示す底面図である。
【図６】本発明に係る球形パズルの他の実施例におけるピースを示す側面図である。
【符号の説明】
【００１６】
１          球形パズル
１０        ピース
１１        突出部
１２        突出部
１３        カットアウト
１４        カットアウト
２          球形パズル
２０        ピース
２１        突出部
２２        カットアウト
【図１】
2005118442.tif 000003
【図２】
2005118442.tif 000004
【図３】
2005118442.tif 000005
【図４】
2005118442.tif 000006
【図５】
2005118442.tif 000007
【図６】
2005118442.tif 000008